(57)【要約】  ビデオ写真装置が取り付け可能なステム（１５）が突出する、少なくとも一つの球形の表面（１１）を備える、ボール継ぎ手（５）の第１の要素（１０）と、前記ヘッド（１）のパノラマ軸（Ｚ）が規定されるように構成され、前記ステム（１５）の前記長手軸（Ｗ）と前記パノラマ軸（Ｚ）とが直線状に並ぶ、少なくとも第１の調整位置と、前記軸（Ｚ、Ｗ）とが互いに９０°より大きい角度（Ａ）を隔てて離間する、少なくとも第２の調整位置との間で、前記第１の要素（１０）が前記第２の要素（２０）に対して移動可能となるように、前記少なくとも１つの球形の表面（１１）に連結される前記ボール継ぎ手（５）の第２の要素（２０）と、前記第２の調整位置で前記第１の要素（１０）を停止することに好適なストップ（３０）と、前記第１，２の位置間の中間である、少なくとも第３の調整位置に前記第１の要素（１０）を停止するために選択的に移動可能な移動制限手段（４０，５０，６０，７０）と、前記パノラマ軸（Ｚ）と前記ステム（１５）の前記長手軸（Ｗ）とは略直角ほど互いから角度的に離れている、を備えるビデオ写真装置のためのボール継ぎ手式の支持ヘッド。【選択図】図１
2013542630.tif 000002
【特許請求の範囲】
【請求項１】
ビデオ写真装置が取り付け可能なステム（１５）が突出する、少なくとも一つの球形の表面（１１）を備える、ボール継ぎ手（５）の第１の要素（１０）と、
ヘッド（１）のパノラマ軸（Ｚ）が規定されるように構成される、前記ボール継ぎ手（５）の第２の要素（２０）と、前記第２の要素（２０）は、前記ステム（１５）の前記長手軸（Ｗ）と前記パノラマ軸（Ｚ）とが直線状に並ぶ、少なくとも第１の調整位置と、前記パノラマ軸（Ｚ）とステム（１５）の長手軸（Ｗ）とが互いに９０°より大きい角度（Ａ）を隔てて離間する、少なくとも第２の調整位置との間で、前記第１の要素（１０）が前記第２の要素（２０）に対して移動可能となるように、前記少なくとも１つの球形の表面（１１）に連結される、
少なくとも前記第２の調整位置で前記ボール継ぎ手の前記第１の要素（１０）を停止することに好適なストップ（３０）と
を具備するビデオ写真装置のためのボール継ぎ手式の支持ヘッド（１）であって、
前記第１，２の位置間の中間である、少なくとも第３の調整位置に前記第１の要素（１０）を停止するために選択的に移動可能な移動制限手段（４０，５０，６０，７０）をさらに具備し、前記パノラマ軸（Ｚ）と前記ステム（１５）の前記長手軸（Ｗ）とは略直角ほど互いから角度的に離れている
ことを特徴とするビデオ写真装置のためのボール継ぎ手式の支持ヘッド（１）。
【請求項２】
前記移動制限手段（４０）は、前記第３の位置で前記移動制限手段（４０）が前記第１の要素（１０）に当接するストッピング位置から離れる及びストッピング位置に向うように前記パノラマ軸（Ｚ）回りに回転可能である
請求項１に係る支持ヘッド（１）。
【請求項３】
前記移動制限手段（４０）は、前記移動制限手段（４０）が前記ストッピング位置にあり、記第１の要素（１０）が前記第３の位置にあるとき前記ステム（１５）に当接するために好適な第１の切欠き（４１）を少なくとも備える
請求項２に係る支持ヘッド（１）。
【請求項４】
前記移動制御手段（４０）は、前記第１の要素（１０）が前記第２の位置にあるときに前記ステム（１５）に当接するために好適な第２の切欠き（４２）を少なくとも備える
請求項３に係る支持ヘッド（１）。
【請求項５】
前記移動制限手段（４０）は、少なくとも、前記第２，３の位置の間の中間である第４の位置で前記第１の要素（１０）に当接するように構成されたプロフィール（４３）を備える
請求項２に係る支持ヘッド（１）。
【請求項６】
前記移動制限手段（５０，６０）は、前記第３の位置で前記第１の要素（１０）に当接するために前記移動制御手段（５０，６０）が固定されるストッピング位置から離れるように及びストッピング位置に向うように、前記第２の要素（２０）に設けられるガイド（５２，６２）に少なくとも沿って移動可能である
請求項１に係る支持ヘッド（１）。
【請求項７】
前記移動制限手段（５０）は、少なくとも、前記第２，３の位置の間の中間である第４の位置で前記第１の要素（１０）に当接するように前記ガイド（５２）に沿って固定可能である
請求項６に係る支持ヘッド（１）。
【請求項８】
前記移動制限手段（５０）は、前記第２，３，４の位置の１つ以上で前記ステム（１５）に当接することに好適な切欠き（５１）を備える
請求項７に係る支持ヘッド（１）。
【請求項９】
前記ガイド（５２）は、前記支持ヘッド（１）の前記パノラマ軸（Ｚ）に略平行である
請求項６，７，８のいずれか１つに係る支持ヘッド（１）。
【請求項１０】
前記第１の要素は、シート（６４）を備え、前記移動制限手段（６０）は、前記第３の位置で前記第１の要素（１０）を停止するために前記シート（６４）に連結可能なピン（６３）を備える
請求項６に係る支持ヘッド（１）。
【請求項１１】
前記シート（６４）は、前記第１の要素（１０）の前記少なくとも１つの球形の表面（１１）に設けられる
請求項１０に係る支持ヘッド（１）。
【請求項１２】
前記ガイド（６２）は、前記支持ヘッド（１）の前記パノラマ軸（Ｚ）に略直交する
請求項１０または１１に係る支持ヘッド（１）。
【請求項１３】
前記移動制限手段（７０ａ、７０ｂ）は、前記第３の調整位置で前記第２の要素（２０）に当接するために前記移動制限手段（７０）が固定可能なストッピング位置から離れるように及びストッピング位置に向うように、前記第１の要素（１０）に設けられるガイド（７２ａ、７２ｂ）に少なくとも沿って移動可能である
請求項１に係る支持ヘッド（１）。
【請求項１４】
前記移動制限手段（７０ａ）は、前記第１の要素（１０）が前記第３の位置にあるときに各シート（７５）に当接するために前記第１の要素（１０）から前記移動制限手段（７０ａ）の一端が突出するストッピング位置から離れるように及びストッピング位置に向うように各ねじが形成された穴（７２ａ）に沿って移動可能なねじが形成された軸によって形成れる
請求項１３に係る支持ヘッド（１）。
【請求項１５】
前記移動制限手段（７０ｂ）は、前記ステム（１５）の前記表面に沿ってスライド可能なカラーによって形成され、前記カラーは、前記第１の要素（１０）が前記第３の位置にあり前記移動制限手段（７０ｂ）が前記ストッピング位置にあるとき前記ストップ（２０）に当接することに好適である
請求項１３に係る支持ヘッド（１）。
【発明の詳細な説明】
【発明の概要】
【０００１】
（記載）
（技術分野）
この発明の対象は、主請求項の前文に言及される特徴を有するビデオ写真装置のためのボール継ぎ手式のサポートヘッドである。
【０００２】
（技術的背景）
ビデオ写真装置のための支持の分野では、いずれの方向に相当な速度で器具の調整動作を許容する多数の利点を有する、“ボールヘッド”としても知られる、ボール継ぎ手式の支持ヘッドが知られている。
【０００３】
この種のヘッドは、互いに対して垂直である３軸回りの装置の配置を許容する：
−“パノラマ軸と命名され、この軸によって、水平線に沿う照準角度（sighting angular）が調整される垂直軸、
−チルト軸と命名され、ビデオ写真装置の光軸に対して垂直であり、この軸によって水平面に対するフレーミングの傾きが調整される水平軸、
−水平であり、かつ、ビデオ写真装置の光軸に対して平行でもある、水平線に対するフレーミングのマージンの傾きを決定する高さ軸と命名され、この軸によって垂直面に対するフレーミングの傾きが調整される軸。
【０００４】
高さ軸は、特に、展望フレーミング（landscape framing）という言葉で知られる水平フレーミングから、肖像フレーミング（portrait framing）という言葉で知られる垂直フレーミングへの移行に用いられ、逆もまた同じである。
【０００５】
展望フレーミングから肖像フレーミングへの急速な移行を許容するために、高さ軸回りの回転のためのエンドストップ（end stop）を有するボール継ぎ手式の支持ヘッドを提供することが知られている。
【０００６】
知られている使用では、このストップは、水平フレーミングに対して、高さ軸回りに９０度の動作範囲を許可するように配置される。この使用（solution）は、支持の軸受面が水平であるとき最適となるが、軸受面が傾いていると、完全に垂直フレーミングを達成することを困難にする。
【０００７】
この理由により、他の知られている使用では、エンドストップは、より広い動作範囲、典型的に１００°−１０５°を可能にするように配置されており、これは、軸受面が最大で１０°−１０５°の傾きを有していることを考慮にいれても、完全な垂直フレーミングを得ることができる。これら後者の使用では、装置の垂直位置づけは、例えば半球式の照準システム（levelling system）によって、行われる。
【０００８】
照準システムを用いる要求は、軸受面が完全に水平である場合であっても、上述の不利点と比較されたその方法の主な不利点である、水平軸に対するポジショニングを急速ほどでなくする。
【０００９】
（発明の説明）
この発明の目的は、既存のボール継ぎ手式の支持ヘッドの主な利点を単一の装置に組み込むことによって、引用された従来技術を参照して言及された全ての不利点を改善することを可能とするように構造的そして機能的に設計されるビデオ写真装置のためのボール継ぎ手式の支持ヘッドを提供することである。
【００１０】
これ以降より明確になるであろう、この、及び、他の目的は、以下の請求項に係る支持ヘッドによる発明によって、達成される。
【図面の簡単な説明】
【００１１】
本発明の特徴及び利点は、添付の図面を参照して、限定的でない例を手段として説明される、いくつかの好ましい例示的な実施形態の詳細な説明からより明らかになるであろう、この中で、
【図１】図１は、この発明のビデオ写真装置のためのボール継ぎ手式の支持ヘッドの第１の実施形態（first alternative embodiment）の透けて見える不等角投影図である。
【図２】図２は、図１の支持ヘッドのいくつかの構成要素を示す不等角投影図である。
【図３】図３は、図１の支持ヘッドの異なる操作状態での図２に対応する各図である。
【図４】図４は、図１の支持ヘッドの異なる操作状態での図２に対応する各図である。
【図５】図５は、図１の支持ヘッドの第２の実施形態（second alternative embodiment）の不等角投影図である。
【図６】図６は、図１の支持ヘッドの第３の実施形態（third alternative embodiment）の側断面図である。
【図７】図７は、異なる操作状態にある図６の支持ヘッドの側断面図である。
【図８】図８は、図６の支持ヘッドの部分不等角図である。
【図９】図９は、図６に対応する、図１の支持ヘッドの第４の実施形態（fourth alternative embodiment）の側断面図である。
【図１０】図１０は、図７に対応する、図１の支持ヘッドの第４の実施形態（fourth alternative embodiment）の側断面図である。
【図１１】図１１は、図６に対応する、図１の支持ヘッドの第５の実施形態（fourth alternative embodiment）の側断面図である。
【図１２】図１２は、図７に対応する、図１の支持ヘッドの第５の実施形態（fourth alternative embodiment）の側断面図である。
【図１３】図１３は、図６に対応する、図１の支持ヘッドの第６の実施形態（fourth alternative embodiment）の側断面図である。
【図１４】図１４は、図７に対応する、図１の支持ヘッドの第６の実施形態（fourth alternative embodiment）の側断面図である。
【００１２】
（好ましい実施形態）
図において、参照符号１は、本発明に従って製造されたビデオ写真装置のための支持ヘッド全体を示す。
【００１３】
支持１は、三脚等に固定可能な第２の要素２０内に回転可能に係合状態で収容される第１の要素１０によって形成されるボール継ぎ手５を備える。第１の要素１０は、ボール継ぎ手５の第２の要素内に規定されるシート２１に回転可能に連結される球形の表面１１を有するボール６が設けられる。
【００１４】
第１の要素１０は、対称の長手軸Ｗが球形の表面１１に垂直である、ボール６から突出する筒形状のステム１５を備える。ステム１５の、ボール６に対して反対側は、ビデオ写真装置が取り付けられる、ねじが形成された従来側のコネクタ７を有する。
【００１５】
ボール継ぎ手５の第２の要素２０は、それ自身従来型の図示しない取り付け手段によって三脚等に連結するための円径のベース２２と、ベース２２の反対側であってベース２２に略平行な円径の開口２３とに隣接する、中空本体２０ａを備える。ボール６は、ステム１５が開口２３を通って第２の要素２０から突出するように、部分的にシート２１内に収容されている。開口２３の直径は、ボール６の表面１１と開口２３との干渉の結果により第１の要素１０が第の２要素２０から離脱しないように、ボール６の直径より小さい。
【００１６】
第２の要素２０のシート２１は、第１の要素１０が少なくとも部分的にボール継ぎ手５の第２の要素２０に対して球形の表面１１の中心を通るいずれの軸回りに回転可能になるように、第１の要素１０の球形の表面１１に連結されている。
【００１７】
シート２１内の第１の要素１０のいずれの回転も、第２の要素２０に固定されて支持ヘッドの分野の従来の専門用語に係る水平チルト軸Ｘと水平高さ軸Ｙと垂直パノラマ軸Ｚを備える調整された軸ＸＹＺの３つ組みに関して、説明可能である。軸ＸＹＺの３つ組の中心Ｏは、球形の表面１１の中心に一致する。
【００１８】
ビデオ写真装置は、標準的に、軸Ｙが装置の光軸に平行な位置で、ねじが形成されたコネクタ７に垂直に（normally）取り付けられる。
【００１９】
この位置では、軸Ｘは、水平面に対するフレーミングの傾きを調整するために用いることができ、軸Ｙは、水平線に対するフレーミングのマージンの傾きの調整するために用いることができ、軸Ｚは、水平線に沿う照準角度を調整するために用いることができる。
【００２０】
第２の要素２０は、中空本体２０ａに設けられて、一端２５ａが軸Ｘ，Ｙによって規定される平面とベース２２との間にある限り軸Ｚに沿って開口２３から縦に延びる切欠き２５が設けられている。切欠き２５は開口２３に結合している。切欠き２５は、第１の要素１０を、第１の調整位置と第２の調整位置との間で、軸Ｙ回りに第２の要素２０に対して回転可能にする。第１の調整位置では、パノラマ軸Ｚとステム１５の軸Ｗとが直線状に並ぶ（図１，２に示す）。第２の調整位置（図４，７，１０，１２）では、パノラマ軸Ｚとステム１５の軸Ｗとは、軸Ｙ回りの回転の結果として、互いに９０°より大きな角度Ａほど離間している。切欠き２５の一端２５ａは、第２の調整位置内で第１の要素１０をストップするために適したストップ３０を規定する。ストップ３０は、半筒形状の表面によって形成されており、ステム１５の直径と同じまたは若干大きい直径を有し、軸Ｗ回りの回転を許可しながら、第１の要素１０が第２の調整位置にあるときステム１５に当接して軸受可能である。
【００２１】
角度Ａは、典型的に１００°−１０５°と同じである。この動作の角度範囲は、特に、第１の調整位置と第３の調整位置との間での移行を可能にする。第１の調整位置では、従来の方法でコネクタ７に取り付けられたビデオ写真装置は、水平に配置される（展望フレーミング）。第３の調整位置（図３）は、第１の位置に対して直角に角度をなして離間しており、それゆえ、第１の調整位置と第２の調整位置との間の中間であり、その中で装置は、ステム１５の軸Ｗが軸Ｘと同一直線になる垂直に（肖像フレーミング）配置される。第１の調整位置と第２の調整位置との間の角度範囲が９０°より大きいので、ベース２２が水平面に対して傾いていても、肖像フレーミングを得ることを確実にすることができる。例えば、１００°と同じ角度Ａは、例えばベース２２が軸Ｙに対して１０°回転しても、肖像フレーミングを得ることを可能にする。
【００２２】
この発明の他の（alternative）実施形態では、ボール継ぎ手５の第１の要素１０上には、肖像フレーミングを容易に得られるようにするために、それ自体従来型である、例えば半球式の照準システム（levelling system）（図示せず）が設けられている。
【００２３】
支持ヘッド１は、ばね３７によってボール継ぎ手５の第２の要素２０に弾力的に連結されるスライディングブロック３６を備えており、ばね３７は、球形の表面１１のベース２２に対向する部分に対してボール継ぎ手５の抵抗のためにスライディングブロック３６を付勢する。ボール継ぎ手の第１の要素１０上のスライディングブロック３６の動作は、軸Ｘ、Ｙ、Ｚ回りの調整動作の減衰を可能にし、特に、コネクタ７に取り付けられたビデオ写真装置に対して危険な衝突となる開口２３の縁または切欠き１５に向うステム１５の不意の落下を防止する。
【００２４】
支持ヘッド１は、第２の要素２０に対していかなる姿勢の第１の要素１０を固定するための第２の要素２０に設けられたハンドグリップ３５によって操作可能なボール継ぎ手５のためのロッキングシステムを備えている。ロッキングシステムは、この種の支持ヘッドの典型であるボール継ぎ手５の第１，第２の要素間の調整の変更をする際の急速性の有利の効果を保つことを可能とし、かつ、それ自体在来型であってそれゆえ図示されない。
【００２５】
支持ヘッド１は、さらに、以下に４０、５０、６０によって説明される実施形態のさまざまな形態で示される移動制限手段を備えており、移動制限手段は、第１の要素１０の第３の調整位置内での移動を止めるために選択的に動作可能である。
【００２６】
図１〜４に関して、この発明の第１の実施形態では、移動制限手段４０は、パノラマ軸Ｚと一致する軸を有する薄い筒形状の壁部によって形成される。移動制限手段４０は、ボール継ぎ手５の第１の要素１０と第２の要素２０との間に挿入されるように、支持ヘッド１１内に位置している。
【００２７】
移動制限手段４０は、ペグ４５を備えており、ペグ４５は、パノラマ軸Ｚに対して放射状であってベース２２に対して平行である溝４６を通って第２の要素２０から突出している。ペグ４５によって、移動制限手段４０は、操作者によってパノラマ軸Ｚ回りに、第３の調整位置（図３）で移動制限手段４０が第１の要素１０に当接可能なストッピング位置からまたはストッピング位置に向って回転可能である。このストッピング位置は、足がベース２２と同じ側にある軸Ｚに沿って配置される観察者（observer）に対して、軸Ｚの反時計回り方向に移動制限手段４０が回転することによってペグ４５が溝４６の第１の端４６ａに対して当接する位置である。
【００２８】
この発明の他の実施形態（図示せず）では、移動制限手段４０は、ペグ４５を溝４６から突出させた状態で中空体２０ａ内に設けられるシート内に収容される、または、中空体２０の外側に取り付けられる。この最後の別形態（variant）では、スロット４６は必要でないので、設けられない。
【００２９】
移動制限手段４０は、ベース２２に向く円形のベース端４０ａと、互いに対向する２つの側端４０ｂ，４０ｃと、ベース端４０ａに対向する上端４０ｄとを備える。上端４０ｄには、軸がパノラマ軸Ｚに対して直角であり、移動制限手段がストッピング位置にありかつ軸Ｗがチルト軸Ｘに沿って配置される第１の要素が第３の位置にある時にステム１５と好適に当接する、第１の半筒形状の切欠き４１が設けられる。ストッピング位置では、切欠き４１は、ステム１５が第２の調整位置が到達される前に第３の調整位置で止まるように、パノラマ軸Ｚに平行な方向に直線状にストップ３０と並ぶ。切欠き４１の直径は、第１の要素１０が第３の調整位置にあっても、ステム１５を受けることが可能となるように、かつ、ステム１５の軸Ｗと一致する軸Ｘ回りの回転を許容するように、ステム１５の直径と同じかまたは若干大きい。
【００３０】
移動制限手段４０は、第１の切欠き４１と同じであるが第１の切欠き４１に対してベース端４０ａに向って先にある第２の切欠き４２を備えている。第２の切欠き４２は、ペグ４５がスロット４６の第１の端４６ａに対向する端４６ｂに対して当接したときに、少なくともストップ３０とパノラマ軸Ｚに直角な方向に直線状に並ぶように配置される。より、概して、第２の切欠き４２は、ストップ３０またはストップ３０に対してよりベース２２に向って低い部分と、直線状に並ぶように配置される。この状態では、移動制限手段４０は、第１の要素１０を、ストップ３０に当接する第２の調整位置に到達させることができる。
【００３１】
図５に関して、この発明の第２の実施形態では、移動制限手段４０は、切欠き４１，４２に置き換えて、ステム１５が各第２の調整位置と第３の調整位置と少なくとも第２，３の中間の第４の調整位置にあるとき、ステム１５と移動制限手段４０との間の共通部分（intersections）の覆いとして得られるプロフィール（profile）４３を備える。プロフィール４３は、それゆえ、ペグ４５の溝４６の端４６ａ，４６ｂ間の移動によって、第１の要素１０のステム１５に、第２，３の調整位置間が連続的に含まれる全ての位置で当接可能となるように構成される。
【００３２】
図６〜１０に関して、この発明の第３，４の実施形態では、移動制限手段５０，６０は、ボール継ぎ手５の第２の要素２０に設けられるガイド５２，６２に沿って、ストッピング位置から離れるようにおよびストッピング位置に向うように移動可能であり（図６，９、各々）、移動制限手段５０，６０は、ガイド５２，６２内で第３の調整位置で第１の要素１０に当接するように固定可能である。
【００３３】
図６〜８の第３の実施形態では、移動制限手段５０は、ステム１５に好適に当接する半筒形状の切欠き５１が設けられたベース５０ａによって形成される。切欠き５１は、パノラマ軸Ｚと平行な方向にストップ３０直線状に並ぶ。
【００３４】
ベース５０ａは、パノラマ軸Ｚに平行なガイド５２に沿ってシート５０ｂ内を移動可能であり、切欠き５１が第３の調整位置と、少なくとも、第２，３の調整位置の中間である第４の調整位置とで第１の要素１０で当接するようにガイドに沿って固定可能である。
【００３５】
ガイド５２は、パノラマ軸Ｚに平行であって、ねじが形成されて軸端がベース５０ａに固定される軸（shank）が内部をスライド可能な、ボール継ぎ手５の第２の要素２０の筒形状の孔５３によって形成される。ねじが形成された軸５４は、縁にぎざぎざを有するホイール５５の中心孔５５ａに形成されるねじに各々連結される。ホイール５５は、第２の要素２０に形成される台座５６内に配置され、ぎざぎざの縁が操作されることによって容易に回転できるように第２の要素２０の外に突出する大きさである。
【００３６】
ホイール５５の回転によって、軸５４と後者との間の螺合（threaded coupling）を介して、ベース５０ａの、ベース５０ａがシート５０ｂのベース壁５８に対して当接するエンドストップ位置と、切欠き５１の軸がチルト軸Ｘと直線状に並ぶストッピング位置との間の連続的な移動を達成することを可能とする。エンドストップ位置（図７）では、切欠き５１は、パノラマ軸Ｚに直交する方向に、少なくともストップ３０と直線状に並ぶ。より、概して、ストップ３０に対する当接によってストップ１３の停止を許容するために、第２の切欠き５１は、ストップ３０と直線状に並ぶようにまたはストップ３０に対してベース２２に向ってより低くなるように配置される。
【００３７】
ストッピング位置（図６）では、切欠き５１は、第１の要素１０が、軸Ｗがチルト軸Ｘに沿って配置される第３の調整位置にあるとき、ステム１５に当接する。
【００３８】
ベース５０ａが、エンドストップ位置とストッピング位置との間の全ての中間位置で固定可能であるので、ボール継ぎ手５の第１の要素１０は、第２，３の調整位置の間に含められる全ての位置で停止可能である。
【００３９】
図９，１０の第４の実施形態では、ボール継ぎ手５の第１の要素１０は、シート６４と、第３の調整位置で第１の要素１０を停止するためにシート６４に連結されることが可能なピン６３を備える移動制限手段６０とを備える。
【００４０】
シート６４は、軸Ｗと直線状に並びかつ直径方向にステム１５に対して対向する球形表面１１上に設けられる。
【００４１】
ピン６３は、ボール継ぎ手５の第２の要素２０に設けられてチルト軸Ｘと直線状に並びそれゆえパノラマ軸Ｚに直交するねじが形成されたガイド孔６２に連結されるねじが形成された部分６５を備える。
【００４２】
ボール継ぎ手５の第２の要素２０の外側に軸方向に向うピン６３の端部に、筒形状の縁にぎざぎざが形成されるハンドグリップ６６が固定される。
【００４３】
ハンドグリップ６６の操作によって、移動制限手段は、軸Ｘに沿って、突起６３がシート６４に連結可能なストッピング位置から離れるように及びストッピング位置向うように移動可能である。第１の要素１０が、ステム１５の軸Ｗとシート６４とがガイド孔６２の軸Ｘと直線状に並ぶ第３の調整位置にあるとき、この状態が達成される。
【００４４】
この発明の更なる実施形態（further alternative embodiment）（図示せず）では、ねじが形成されたガイド６２に代えて、ピン６３をシート６４に向って付勢することに好適な対向スプリングを備える、スライド可能なガイドが設けられる。スライド可能なガイド内では、ピン６３がスナップ動作で移動可能である。
【００４５】
図１１〜１４に関して、この発明の第５，６の実施形態では、移動制限手段７０ａ，７０ｂは、第１の要素１０に設けられるガイド７２ａ，７２ｂに沿って、ストッピング位置から離れるようにおよびストッピング位置に向うように移動可能である。第３の位置では、ストッピング位置で移動制限手段７０ａ，７０ｂは、第２の要素２０に当接するために固定可能である。
【００４６】
図１１，１２の第５の実施形態では、移動制限手段７０ａは、ガイド７２ａに対して移動可能な、ねじが形成された軸によって形成される。ガイド７２ａは、ねじが形成される穴によって形成され、第１の要素１０に設けられ、ステム１５の軸Ｗに沿う。
【００４７】
ねじが形成された軸７０ａは、ストッピング位置から離れる及びストッピング位置に向うために、ステム１５においてコネクタ７の近接の周囲に配置される回転可能なリングナット７４によって操作される。ストッピング位置では、ペグは、ボール６のステム１５に対して反対側に対して、突出する。
【００４８】
ストッピング位置では、第１の要素１０が第３の調整位置にあるとき（図１１）、ねじが形成された軸７０ａのボール６から突出する部分は、第２の要素２０に設けられて軸Ｘと直線状に並ぶ各シート７５に係合可能である。
【００４９】
ねじが形成された軸７０ａがボール６の内部に引き込まれると、ボール継ぎ手５の第１の要素１０は、ステム１５がストップ３０に当接する（図１２）第２の調整位置に到達するまで、軸Ｙ回りに回転自由である。
【００５０】
図１３，１４の第６の実施形態では、移動調整手段７０ｂは、ステム１５の表面に形成されるガイド７２ｂに沿って、軸Ｗ方向に水平に移動可能なカラーによって形成される。ストッピング位置では、カラー７０ｂは、ボール６に対して当接されることが可能であり、その状態で、第１の要素１０が第３の調整位置にあるとき（図１３）ストップ３０に当接可能である。
【００５１】
カラー７０ｂがコネクタ７に向う移動によってストッピング位置から移動されると、ボール継ぎ手５の第１の要素１０は、ステム１５がストップ３０に当接する（図１４）第２の調整位置に到達されるまで、軸Ｙ回りに回転自由である。
【００５２】
この発明の他の実施形態（another alternative embodiment）（図示せず）では、移動制限手段は、ステム１５に固定されるカラーによって形成され、移動制限手段は、第１の要素１０が第３の調整位置に到達したとき移動制限手段がストップ３０に当接可能なストッピング位置から離れる及びストッピング位置に向うように移動できるように、ボール６に伸縮自在に連結されている。
【００５３】
この発明は、提起された問題をこのように解決し、ビデオ写真装置をチルト軸回りに回転可能とすると同時にビデオ写真装置を肖像フレーミングに対応する位置に到達させる可能性を含む更なる利点を得る。
【００５４】
これは、３つの軸の急速な固定と、調整の精密性と回転軸の選択とに対する固定の容易性とを優遇する既知のボールとは異なり、パン（pan）と高さ軸を固定しステム１５を水平に配置する状態で、装置をチルト軸回りの回転を可能とする。
【００５５】
この特徴は、特に、取り付け点に対する装置本体の回転を許容するために支持ヘッドへの固定のためのブラケットに設けられる望遠レンズが用いられるケースに有効である。このケースでは、この発明は、球形の支持を、ステム１５が水平に配置される位置の高さ回転が固定された状態でパンとチルト回転のみが許容される装置にすることができる。
【図１】
2013542630.tif 000003
【図２】
2013542630.tif 000004
【図３】
2013542630.tif 000005
【図４】
2013542630.tif 000006
【図５】
2013542630.tif 000007
【図６】
2013542630.tif 000008
【図７】
2013542630.tif 000009
【図８】
2013542630.tif 000010
【図９】
2013542630.tif 000011
【図１０】
2013542630.tif 000012
【図１１】
2013542630.tif 000013
【図１２】
2013542630.tif 000014
【図１３】
2013542630.tif 000015
【図１４】
2013542630.tif 000016
【国際調査報告】
2013542630.tif 000017
2013542630.tif 000018
2013542630.tif 000019